(57)【要約】【課題】記録されたテレビジョン放送のうちユーザにとって興味のあるテレビ番組を残して興味のないテレビ番組を消去する記録装置及びテレビジョン受信機の提供を目的とする。【解決手段】テレビジョン受信機は、テレビ番組のジャンルと記録保持時間との関係を示すテーブルを備える。またテレビジョン受信機は、記録したテレビジョン放送に含まれるテレビ番組のジャンルに基づいて、テレビ番組の記録保持時間を決定する。決定した記録保持時間が経過しているテレビ番組は消去し、経過していないテレビ番組は保持する。【選択図】図５
2014057255.tif 000002
【特許請求の範囲】
【請求項１】
一定時間に亘って送信されたテレビジョン放送を記録部に記録する記録装置において、
テレビ番組のジャンル及び該ジャンルに属するテレビ番組の記録保持時間の関連を示す情報を記憶する記憶部と、
前記記録部に記録したテレビジョン放送から複数のテレビ番組を抽出する抽出部と、
該抽出部が抽出した各テレビ番組のジャンルを特定する特定部と、
該特定部が特定したジャンルに属するテレビ番組の記録保持時間を、前記記憶部に記憶した関連を示す情報に基づいて設定する設定部と、
該設定部が設定した記録保持時間の経過後、前記特定部が特定したジャンルに属するテレビ番組を前記記録部に記録したテレビジョン放送から消去する消去部と
を備えることを特徴とする記録装置。
【請求項２】
前記関連を示す情報は、前記記録部の残存記録容量に基づいて所定ジャンルに属するテレビ番組の記録保持時間が決められるようにしてある
ことを特徴とする請求項１に記載の記録装置。
【請求項３】
前記記録部に、前記一定時間に亘って送信された複数チャンネルのテレビジョン放送を記録するようにしてある
ことを特徴とする請求項１又は２のいずれか一つに記載の記録装置。
【請求項４】
前記記録部に、前記一定時間の経過後に送信されたテレビジョン放送を次の一定時間に亘って記録するようにしてある
ことを特徴とする請求項１から３のいずれか一つに記載の記録装置。
【請求項５】
テレビジョン放送を受信する放送受信部と、
該放送受信部が受信したテレビジョン放送を表示する表示部と、
請求項１から４のいずれか一つに記載の記録装置と
を備え、
該記録装置は、前記放送受信部が受信したテレビジョン放送を記録するようにしてあり、
前記表示部は、前記記録装置に記録したテレビジョン放送を表示するようにしてある
ことを特徴とするテレビジョン受信機。
【発明の詳細な説明】
【技術分野】
【０００１】
本発明は、テレビジョン放送を記録する記録装置及びテレビジョン受信機に関する。
【背景技術】
【０００２】
テレビジョン放送を録画記録して、必要なときに再生できる記録再生装置が製造されている。またそのような記録再生装置を内蔵したテレビジョン受信機も製造されている。
【０００３】
近年の記録再生装置では、低ビットレートで記録したテレビジョン放送に対する画質向上にともない、長時間のテレビジョン放送が記録されるようになった。また、一定時間に亘って送信された全チャンネルのテレビジョン放送を録画記録するような記録再生装置（全録装置）も製造されている。
【０００４】
記録再生装置がテレビジョン放送を記録するために有する記録容量は有限であるため、長時間のテレビジョン放送を記録する場合には、残存記録容量が不足する事態も起こり得る。また、一定時間に亘って送信された複数チャンネルのテレビジョン放送を録画記録する装置、特に全録装置の場合には、記録すべきテレビジョン放送が膨大となり、記録容量不足の問題もより深刻となる。
【０００５】
特許文献１では、記録したテレビジョン放送を一定の保持期間経過後に消去することにより、記録容量不足の問題に対処している。
【先行技術文献】
【特許文献】
【０００６】
【特許文献１】特開２００６−２５１５２号公報
【発明の概要】
【発明が解決しようとする課題】
【０００７】
記録されたテレビジョン放送の中には、ユーザにとって興味のあるテレビ番組と興味のないテレビ番組とが複数混在し得る。記録したテレビジョン放送を一定期間経過後に消去する構成の場合には、記録したテレビジョン放送のうち、ユーザにとって興味のないテレビ番組だけでなく、興味のあるテレビ番組も同時に消去してしまうという問題が考えられる。たとえば、所定日に全録装置でテレビジョン放送を記録した場合、数日後のユーザにとって興味がないであろうその所定日の天気予報番組と数日後のユーザにも興味があり得る映画番組とが混在し得る。記録したテレビジョン放送を一定期間経過後に消去する構成の場合には、興味がないであろうその所定日の天気予報番組だけでなく、興味があり得る映画番組をも消去することになる。つまり、ユーザの興味を考慮した適切な消去番組の選択が行われていない。
【０００８】
本発明は斯かる事情に鑑みてなされたものであって、長時間のテレビジョン放送を記録する場合においても、記録されたテレビジョン放送のうちユーザにとって興味のあるテレビ番組を保持して興味のないテレビ番組を消去する記録装置、及び記録装置を含むテレビジョン受信機の提供を目的とする。
【課題を解決するための手段】
【０００９】
本発明に係る記録装置は、一定時間に亘って送信されたテレビジョン放送を記録部に記録する記録装置において、テレビ番組のジャンル及び該ジャンルに属するテレビ番組の記録保持時間の関連を示す情報を記憶する記憶部と、前記記録部に記録したテレビジョン放送から複数のテレビ番組を抽出する抽出部と、該抽出部が抽出した各テレビ番組のジャンルを特定する特定部と、該特定部が特定したジャンルに属するテレビ番組の記録保持時間を、前記記憶部に記憶した関連を示す情報に基づいて設定する設定部と、該設定部が設定した記録保持時間の経過後、前記特定部が特定したジャンルに属するテレビ番組を前記記録部に記録したテレビジョン放送から消去する消去部とを備えることを特徴とする。
【００１０】
上述の記録装置では、一定時間に亘って送信されたテレビジョン放送を記録部に記録する。記録したテレビジョン放送に含まれる複数のテレビ番組を抽出してジャンルを特定する。テレビ番組のジャンル毎に記録保持時間を規定した関連を示す情報に基づいて、消去するテレビ番組および消去せずに保持するテレビ番組をジャンルごとに決定して消去を行う。
【００１１】
デジタルのテレビジョン放送では、放送対象となるテレビ番組自体のデータだけでなく、そのテレビ番組に対する付加データもメタデータとして送信される。例えば、放送対象となるテレビ番組自体のデータだけでなく、そのテレビ番組の題名、ジャンル、出演者、放送日時などを表すメタデータも一緒に送信される。上述した記録装置では、テレビジョン放送に含まれる各テレビ番組自体の記録を実行するだけでなく、記録したテレビ番組のメタデータの記憶も実行できる。したがって、テレビ番組自体のデータ及びそのテレビ番組のメタデータを含むテレビジョン放送を利用することにより、テレビジョン放送からテレビ番組自体のデータを抽出するだけでなく、抽出したテレビ番組のジャンルを特定することができる。
【００１２】
また本発明に係る記録装置は、前記関連を示す情報は、前記記録部の残存記録容量に基づいて所定ジャンルに属するテレビ番組の記録保持期間が決められるようにしてあることを特徴とする。
【００１３】
上述の記録装置では、これから送信されるテレビジョン放送を記録することができる残存記録容量に基づいて、既に記録されたテレビジョン放送に対するジャンルごとの記録保持時間を設定する。
【００１４】
また本発明に係る記録装置は、前記記録部に、前記一定時間に亘って送信された複数チャンネルのテレビジョン放送を記録するようにしてあることを特徴とする。
【００１５】
上述の記録装置では、一定時間に送信された複数チャンネルのテレビジョン放送を記録部に記録する。つまり、マルチチャンネル対応の記録装置となる。
【００１６】
また本発明に係る記録装置は、前記記録部に、前記一定時間の経過後に送信されたテレビジョン放送を次の一定時間に亘って記録するようにしてあることを特徴とする。
【００１７】
上述の記録装置では、一定時間を単位として、継続的にテレビジョン放送を記録する。
【００１８】
本発明に係るテレビジョン受信機は、テレビジョン放送を受信する放送受信部と、該放送受信部が受信したテレビジョン放送を表示する表示部と、上述の記録装置とを備え、該記録装置は、前記放送受信部が受信したテレビジョン放送を記録するようにしてあり、前記表示部は、前記記録装置に記録したテレビジョン放送を表示するようにしてあることを特徴とする。
【００１９】
上述のテレビジョン受信機では、一定時間に亘って送信されたテレビジョン放送を記録装置に記録する。記録したテレビジョン放送に含まれる複数のテレビ番組を抽出してジャンルを特定する。テレビ番組のジャンル毎に記録保持時間を規定した関連を示す情報に基づいて、消去するテレビ番組および消去しないテレビ番組をジャンルごとに決定して消去を行う。
【発明の効果】
【００２０】
本発明にあっては、記録したテレビジョン放送に含まれるテレビ番組のジャンルに基づいて、テレビ番組の記録保持時間を設定する。設定した記録保持時間を経過したジャンルのテレビ番組は消去され、設定した記録保持時間を経過していないジャンルのテレビ番組は消去されずに保持される。ユーザの興味を考慮して所定のジャンルに対する記録保持時間を設定することにより、ユーザにとって興味のあるテレビ番組を長時間保持して興味のないテレビ番組を短時間で消去することが可能となる。
【図面の簡単な説明】
【００２１】
【図１】テレビジョン受信機の外観を示した模式図である。
【図２】テレビジョン受信機の一構成例を示したブロック図である。
【図３】メタデータ関連テーブルのレコードレイアウトを示す説明図である。
【図４】保持時間関連テーブルのレコードレイアウトを示す説明図である。
【図５】記録部に記録した録画テレビ番組の消去を行う制御部の処理手順を示すフローチャートである。
【図６】保持時間関連テーブルのレコードレイアウトを示す説明図である。
【図７】記録部に記録した録画テレビ番組の消去を行う制御部の処理手順を示すフローチャートである。
【発明を実施するための形態】
【００２２】
（実施の形態１）
以下、本発明をその実施の形態を示す図面に基づいて具体的に説明する。録画装置としての機能を有するテレビジョン受信機について例示する。
【００２３】
図１は、テレビジョン受信機１の外観を示した模式図である。図２は、テレビジョン受信機１の一構成例を示したブロック図である。
【００２４】
テレビジョン受信機１は制御部１０、映像／音声入力部１１、チューナ部１２、ＡＶスイッチ１３、信号処理部１４、表示部１５、スピーカ１６、記録部１７、及び記憶部１８を備える。
【００２５】
制御部１０は、中央処理装置（Central Processing Unit：ＣＰＵ）、記憶媒体（Read Only Memory：ＲＯＭ）、メモリ（Random Access Memory：ＲＡＭ）などを備えたマイクロコンピュータからなり、テレビジョン受信機１の各構成部に制御信号を与えて各構成部の動作を制御する。
【００２６】
映像／音声入力部１１は、各種外部装置から出力された映像信号及び音声信号が入力される入力インタフェースであり、入力された映像信号及び音声信号をＡＶスイッチ１３へ与える。外部装置は、例えば、衛星放送チューナ、ケーブルテレビチューナ、ＩＰ放送チューナなどのチューナで構成される。
【００２７】
チューナ部１２は、アンテナＡで受信した放送信号を増幅して特定チャンネルの信号を選択し、データをＡＶスイッチ１３に与える。
【００２８】
ＡＶスイッチ１３は、映像／音声入力部１１から与えられた映像信号及び音声信号、又はチューナ部１２から与えられたデータのいずれかを選択し、選択された映像信号及び音声信号又はデータを信号処理部１４へ出力する。
【００２９】
信号処理部１４は、ＡＶスイッチ１３から出力された映像信号又はデータに基づいて映像を生成し、生成した映像を表示部１５に表示させる。また信号処理部１４は、記録部１７に記録（録画）したテレビジョン放送の映像を生成し、生成した映像を表示部１５に表示させる。音声は、ＡＶスイッチ１３から出力された音声信号又はデータをスピーカ１６に与えることによって、外部出力される。
【００３０】
表示部１５は、液晶パネルで構成してあり、信号処理部１４から与えられた映像信号に基づいて、映像を表示する。プラズマディスプレイパネル、有機ＥＬパネルなどを用いて構成してもよい。
【００３１】
スピーカ１６は、電気信号を物理振動に変えて音を生み出すものであり、信号処理部１４から与えられた音声信号に基づいて、音声を出力する。
【００３２】
記録部１７は、ハードディスクドライブ（ＨＤＤ）で構成してあり、チューナ部１２が選択した複数チャンネルのテレビジョン放送を一定時間（本実施の形態では１２時間）に亘って記録する。一定時間に亘って記録した後、継続して更に一定時間に亘り記録することができる。記録部１７は、テレビジョン受信機１に内蔵してある。しかしながら記録部１７は、ＵＳＢ等を用いて外部接続されるものであってもよい。コンパクトディスク（ＣＤ）、ディーブイディーディスク（ＤＶＤ）、ブルーレイディスク（ＢＤ）等で書き換え可能な記録媒体を用いて構成してあるものであってもよい。
【００３３】
記憶部１８は、ＲＡＭで構成してあり、テレビジョン放送に含まれる録画テレビ番組のメタデータを記憶する記憶領域を有しており、録画テレビ番組の識別情報とその録画テレビ番組の題名、放送回、ジャンル、出演者、及び録画日時の情報との関連を示すメタデータ関連テーブル１８ａ（図３参照）を記憶する。メタデータとは、データについてのデータ属性を意味しており、より具体的には、あるデータが付随して持つそのデータ自身についての抽象度の高い付加的なデータを意味する。また記憶部１８は、メタデータに基づいた録画テレビ番組と記録保持時間との関係を示す保持時間関連テーブル１８ｂ（図４参照）を記憶する。記憶部１８は、ＲＡＭ以外の記録媒体、たとえばＨＤＤ、で構成されてもよい。デジタルのテレビジョン放送では、放送対象となるテレビ番組自体のデータだけでなく、そのテレビ番組に対するメタデータも一緒に送信される。記憶部１８は、記録部１７に記録した各録画番組のメタデータを、受信したテレビジョン放送から取得して記憶することができる。
【００３４】
図３は、メタデータ関連テーブル１８ａのレコードレイアウトを示す説明図である。録画テレビ番組の識別情報とその識別情報が示す録画テレビ番組のメタデータとの関係を示すメタデータ関連テーブル１８ａを模式的に示してある。メタデータ関連テーブル１８ａは、メタデータの具体例として、題名フィールド、放送回フィールド、ジャンルフィールド、出演者フィールド、及び録画日時フィールドで構成してある。
【００３５】
題名フィールドには、その録画テレビ番組の題名を示す情報が記録してある。放送回フィールドには、その録画テレビ番組が第何回目の放送であったかを示す情報が記録してある。ジャンルフィールドには、その録画テレビ番組のジャンル（ニュース／天気予報、スポーツ、ワイドショー、バラエティー、音楽、ドラマ、映画など）を示す情報が記録してある。出演者フィールドには、その録画テレビ番組に出演していた出演者を示す情報が記録してある。録画日時フィールドには、その録画テレビ番組を録画した日時を示す情報が記録してある。
【００３６】
図４は、保持時間関連テーブル１８ｂのレコードレイアウトを示す説明図である。録画テレビ番組のメタデータとそのメタデータが示す録画テレビ番組の保持時間との関係を示す保持時間関連テーブル１８ｂを模式的に示してある。ジャンルフィールドには、消去の対象となる録画テレビ番組のジャンルを示す情報が記録してある。保持時間フィールドには、記録した録画テレビ番組を保持する記録保持時間を示す情報が記録してある。
【００３７】
制御部１０は、メタデータ関連テーブル１８ａ及び保持時間関連テーブル１８ｂを参照し、記録したテレビジョン放送に含まれる各録画テレビ番組の記録保持時間を設定し、設定した保持時間を超えた録画テレビ番組を記録部１７から消去し、設定した保持時間を超えていない録画テレビ番組を記録部１７に保持する。消去する処理については、録画テレビ番組のデータ自体を消去する方法、新たに記録するテレビジョン放送を上書きする方法等を用いて行う。
【００３８】
図４では、メタデータに含まれるジャンルに基づいて録画テレビ番組の記録保持時間が異なる構成が例示してある。また、録画記録された後の時間経過に伴ってユーザの興味が低くなるであろうという予測に基づいて、記録保持時間を異なるようにする構成が例示してある。具体的には、録画後の時間経過に伴い興味が低くなると予測されるニュース／天気予報のジャンルに対する記録保持時間を７日とし、ニュース／天気予報のジャンルよりも時間経過に対する興味の低下度が少ないであろうと予測されるスポーツ、ワイドショー、及びバラエティーのジャンルに対する記録保持時間をそれぞれ１０日、１４日、及び１６日としている。また、時間経過に対する興味の低下度が更に少ないであろうと予測される音楽、ドラマ、及び映画のジャンルに対する記録保持時間を無限大としている。この構成により、録画してから数日たった場合にユーザが興味を有する確率が低いジャンルの録画テレビ番組を優先的に消去し、録画してから数日たった場合にもユーザが興味を有する確率が高いジャンルの録画テレビ番組を可能な限り保持し得るようになる。
【００３９】
図４で示した保持時間関連テーブル１８ｂは一例であって、メタデータに含まれるその他の情報に基づいて記録保持時間を変更する構成としてもよい。例えば、ユーザの興味のある出演者を考慮し、出演者フィールドの情報に基づいて記録保持時間を異なるようにする構成としてもよい。ユーザの興味のある題名を考慮し、題名フィールド及び放送回フィールドの情報に基づいて記録保持時間を異なるようにする構成としてもよい。また、ユーザが保持時間関連テーブル１８ｂの内容を自由に変更できる構成としてもよい。これらの構成により、録画テレビ番組の消去および保持に対して、ユーザの興味をより良く反映できるようになる。
【００４０】
図５は、記録部１７に記録した録画テレビ番組の消去を行う制御部１０の処理手順を示すフローチャートである。制御部１０は、メタデータ関連テーブル１８ａに基づき、記録部１７に記録したテレビジョン放送に含まれる録画テレビ番組を抽出し（ステップＳ１１）、抽出した各録画テレビ番組のジャンルおよび録画日時を特定する（ステップＳ１２）。制御部１０は、保持時間関連テーブル１８ｂを参照し、抽出した各録画テレビ番組に対する記録保持時間を設定する（ステップＳ１３）。
【００４１】
制御部１０は、特定した録画日時と現在の日時とを考慮し、設定した記録保持時間が経過しているか否か判定する（ステップＳ１４）。設定した記録保持時間が経過している場合（Ｓ１４：ＹＥＳ）、制御部１０はその録画テレビ番組を消去して（ステップＳ１５）処理を終了する。設定した記録保持時間が経過していない場合（Ｓ１４：ＮＯ）、制御部１０はその録画テレビ番組を消去することなく保持したまま処理を終了する。
【００４２】
上述の処理手順は、録画記録を行う１２時間ごとに行ってもよいし、テレビジョン受信機１の電源オンまたは電源オフのときに行ってもよい。このような構成により、ユーザにとって興味のあるテレビ番組を残して興味のないテレビ番組を消去するという自動選択が実現可能となる。
【００４３】
（実施の形態２）
実施の形態１のテレビジョン受信機１では、保持時間関連テーブル１８ｂが、メタデータに含まれるジャンルからなるジャンルフィールドと録画テレビ番組の記録保持時間を示す保持時間フィールドとで構成してあった。しかしながら、所定のジャンルの録画テレビ番組を消去するか否かをより柔軟に変更できるようにするために、実施の形態２のテレビジョン受信機１における保持時間関連テーブル１８ｃ（図６参照）は、更に記録部１７の残存記録容量を示す容量フィールドを用いて構成してある。容量フィールドには、新たなテレビジョン放送を録画記録することができる残存記録容量を示す情報が記録してある。
【００４４】
図６は、保持時間関連テーブル１８ｃのレコードレイアウトを示す説明図である。メタデータに含まれるジャンルからなるジャンルフィールドと、録画テレビ番組の保持時間を示す保持時間フィールドと、記録部１７の残存記録容量を示す残存記録容量フィールドとで構成してある。ジャンルフィールドには、消去の対象となる録画テレビ番組のジャンル（ニュース／天気予報、スポーツ、ワイドショー、バラエティー、音楽、ドラマ、映画など）を示す情報が記録してある。保持時間フィールドには、記録した録画テレビ番組を保持する保持時間を示す情報が記録してある。残存記録容量フィールドには、新たなテレビジョン放送を録画記録可能な残存記録容量を示す情報が記録してある。
【００４５】
図６では、残存記録容量に基づいて録画テレビ番組の記録保持時間を異なるようにする構成が例示してある。具体的には、記録部１７の残存記録容量が７５％以上ある場合には、ニュース／天気予報ジャンルの記録保持時間を７日としているが、７５％未満５０％以上では５日とし、５０％未満２５％以上では３日としている。また、記録部１７の残存記録容量が７５％以上ある場合には、スポーツジャンルの記録保持時間を１０日としているが、７５％未満５０％以上では７日とし、５０％未満２５％以上では５日としている。同様に、その他のジャンルの記録保持時間についても残存記録容量に基づいて異なるようにする構成となっている。これらの構成により、例えば、録画してから数日たった場合にユーザが興味を有する確率が比較的低いであろうスポーツまたはワイドショーのジャンルに属する録画テレビ番組であっても、残存記録容量が大きい場合には長期間保持し、残存記録容量が小さい場合には短時間保持後に消去する構成として、テレビジョン放送を新たに記録するための記録容量を確保することが可能となる。つまり、所定のジャンルの録画テレビ番組を消去するか否かを柔軟に変更することが可能となる。
【００４６】
実施の形態２のテレビジョン受信機１におけるその他の構成は、実施の形態１のテレビジョン受信機１における構成と同様であるため、詳細な説明を省略する。
【００４７】
図７は、記録部１７に記録した録画テレビ番組の消去を行う制御部１０の処理手順を示すフローチャートである。制御部１０は、メタデータ関連テーブル１８ａに基づき、記録部１７に記録したテレビジョン放送に含まれる録画テレビ番組を抽出し（ステップＳ２１）、抽出した各録画テレビ番組のジャンルおよび録画日時を特定する（ステップＳ２２）。また、制御部１０は記録部１７の残存記録容量を検出する（ステップＳ２３）。制御部１０は、検出した残存記録容量と保持時間関連テーブル１８ｃとを参照し、抽出した各録画テレビ番組に対する記録保持時間を設定する（ステップＳ２４）。
【００４８】
制御部１０は、特定した録画日時と現在の日時とを考慮し、設定した記録保持時間が経過しているか否か判定する（ステップＳ２５）。設定した記録保持時間を経過している場合（Ｓ２５：ＹＥＳ）、制御部１０はその録画テレビ番組を消去して（ステップＳ２６）処理を終了する。設定した記録保持時間が経過していない場合（Ｓ２５：ＮＯ）、制御部１０はその録画テレビ番組を消去せずに保持して処理を終了する。
【００４９】
上述の処理手順は、録画記録を行う１２時間ごとに行ってもよいし、テレビジョン受信機１の電源オンまたは電源オフのときに行ってもよい。上述の構成により、ユーザにとって興味のある録画テレビ番組を残して興味のない録画テレビ番組を消去するという自動選択に対して、残存記録容量に基づく柔軟な変更が可能となる。
【００５０】
今回開示された実施の形態はすべての点で例示であって、制限的なものでは無いと考えられるべきである。上で例示した複数の構成は、他の構成例と組み合わせて利用することも可能である。本発明の範囲は、上で例示した内容だけで無く、特許請求の範囲によって示され、特許請求の範囲と均等の意味及び範囲内でのすべての変更が含まれることが意図される。
【符号の説明】
【００５１】
１  テレビジョン受信機
１０  制御部
１１  映像／音声入力部
１２  チューナ部
１３  ＡＶスイッチ
１４  信号処理部
１５  表示部
１６  スピーカ
１７  記録部
１８  記憶部
１８ａ  メタデータ関連テーブル
１８ｂ  保持時間関連テーブル  
１８ｃ  保持時間関連テーブル
【図１】
2014057255.tif 000003
【図２】
2014057255.tif 000004
【図３】
2014057255.tif 000005
【図４】
2014057255.tif 000006
【図５】
2014057255.tif 000007
【図６】
2014057255.tif 000008
【図７】
2014057255.tif 000009